(57)【要約】【課題】低品位燃料を安定して燃焼させることが可能な燃焼器を提供すること。【解決手段】側壁に第１開口が形成されている筒状のガス供給管と、前記第１開口に接続されて前記ガス供給管に第１ガスを供給し、前記第１ガスを前記ガス供給管の内壁に沿って旋回させる第１供給部と、前記ガス供給管に連結されて管内で前記第１ガスを燃焼させる燃焼管と、を有し、前記燃焼管は、前記ガス供給管に連結される円筒状の小径部と、前記小径部に連結されて前記小径部から離れるほど内径が大きくなるように形成されているテーパ部と、前記テーパ部に連結される円筒状の大径部と、を有する燃焼器。【選択図】図１
2017219302.tif 000002
【特許請求の範囲】
【請求項１】
側壁に第１開口が形成されている筒状のガス供給管と、
前記第１開口に接続されて前記ガス供給管に第１ガスを供給し、前記第１ガスを前記ガス供給管の内壁に沿って旋回させる第１供給部と、
前記ガス供給管に連結されて管内で前記第１ガスを燃焼させる燃焼管と、を有し、
前記燃焼管は、前記ガス供給管に連結される円筒状の小径部と、前記小径部に連結されて前記小径部から離れるほど内径が大きくなるように形成されているテーパ部と、前記テーパ部に連結される円筒状の大径部と、を有する
ことを特徴とする燃焼器。
【請求項２】
前記ガス供給管は、前記側壁に第２開口が形成されており、
前記第２開口に接続されて前記ガス供給管に第２ガスを供給し、前記第２ガスを前記ガス供給管の内壁に沿って旋回させながら前記第１ガスと混合させる第２供給部を有する
ことを特徴とする請求項１に記載の燃焼器。
【請求項３】
前記ガス供給管は、底壁の周縁にスリットが形成されており、
前記スリットに接続されて前記ガス供給管に第３ガスを供給する第３供給部を有する
ことを特徴とする請求項１又は２に記載の燃焼器。
【発明の詳細な説明】
【技術分野】
【０００１】
本発明は、燃焼器に関する。
【背景技術】
【０００２】
例えばバイオマス由来のオフガスや副生ガス等の発熱量や燃焼速度が小さく、燃焼性の悪いガス（以下、「低品位燃料」と称する）を、安価に燃焼処理又は熱利用する技術が求められている。これらの低品位燃料を燃焼するために、燃焼触媒や良質な燃料を付加して燃焼させる方法があるが、イニシャルコスト又はランニングコストの上昇が不可避となる。
【０００３】
そこで、上記したような低品位燃料を燃焼するために、旋回流を利用することが考えられる。燃料を旋回させて燃焼させる方法としては、旋回翼により混合管内で燃料を旋回させる方法や、燃焼室内で旋回するように燃料ガスを吹き込む方法が開示されている（例えば、特許文献１又は２参照）。
【先行技術文献】
【特許文献】
【０００４】
【特許文献１】特開２００５−１３３９５７号公報
【特許文献２】特開２００４−９３１１４号公報
【発明の概要】
【発明が解決しようとする課題】
【０００５】
しかしながら、特許文献１に開示されている方法では、実現可能な旋回流の強さ（スワール数）に限界がある。また、特許文献２に開示されている方法では、火炎位置の制御が困難な可能性がある。したがって、上記した何れの方法においても低品位燃料を安定して燃焼させることができない可能性がある。
【０００６】
本発明は上記に鑑みてなされたものであって、低品位燃料を安定して燃焼させることが可能な燃焼器を提供することを目的とする。
【課題を解決するための手段】
【０００７】
本発明の一態様における燃焼器によれば、側壁に第１開口が形成されている筒状のガス供給管と、前記第１開口に接続されて前記ガス供給管に第１ガスを供給し、前記第１ガスを前記ガス供給管の内壁に沿って旋回させる第１供給部と、前記ガス供給管に連結されて管内で前記第１ガスを燃焼させる燃焼管と、を有し、前記燃焼管は、前記ガス供給管に連結される円筒状の小径部と、前記小径部に連結されて前記小径部から離れるほど内径が大きくなるように形成されているテーパ部と、前記テーパ部に連結される円筒状の大径部と、を有する。
【発明の効果】
【０００８】
本発明の実施形態によれば、低品位燃料を安定して燃焼させることが可能な燃焼器が提供される。
【図面の簡単な説明】
【０００９】
【図１】第１の実施形態における燃焼器を例示する図である。
【図２】第１の実施形態におけるガス供給管、第１供給部、及び第２供給部を例示する図である。
【図３】第１の実施形態における燃焼管を例示する図である。
【図４】燃焼管における混合ガスの流れを説明するための図である。
【図５】実施例１〜３における最希釈可燃限界の測定結果を示す図である。
【図６】実施例４〜６における最希釈可燃限界の測定結果を示す図である。
【図７】実施例７〜９における最希釈可燃限界の測定結果を示す図である。
【図８】実施例１０〜１４における最希釈可燃限界の測定結果を示す図である。
【図９】第２の実施形態における燃焼器を例示する図である。
【図１０】実施例１５〜１７における最希釈可燃限界の測定結果を示す図である。
【図１１】実施例１８〜２０における最希釈可燃限界の測定結果を示す図である。
【図１２】実施例２１〜２３における最希釈可燃限界の測定結果を示す図である。
【発明を実施するための形態】
【００１０】
以下、図面を参照して発明を実施するための形態について説明する。各図面において、同一構成部分には同一符号を付し、重複した説明を省略する場合がある。
【００１１】
［第１の実施形態］
図１は、第１の実施形態における燃焼器１００を例示する図である。
【００１２】
図１に示されるように、燃焼器１００は、ガス供給管１０、第１供給部２０、第２供給部３０、燃焼管４０を有する。
【００１３】
ガス供給管１０は、円筒状に形成されており、第１供給部２０及び第２供給部３０から供給される燃料ガスを燃焼管４０に供給する。第１供給部２０は、ガス供給管１０に接続され、例えば燃料ガスと空気とが予め混合された混合ガスをガス供給管１０に供給する。第２供給部３０は、第１供給部２０とは異なる位置でガス供給管１０に接続され、例えば燃料ガスと空気とが予め混合された混合ガスをガス供給管１０に供給する。
【００１４】
ガス供給管１０、第１供給部２０、及び第２供給部３０は、それぞれ別体として形成された後に接合されてもよく、何れか２つ以上が一体成形されてもよい。ガス供給管１０、第１供給部２０、及び第２供給部３０は、例えば耐熱性が高い樹脂や、金属材料等により形成される。
【００１５】
また、第１供給部２０からガス供給管１０に燃料ガスを供給し、第２供給部３０からガス供給管１０に空気を供給して、ガス供給管１０において混合される燃料ガスと空気との混合ガスを燃焼管４０に供給してもよい。
【００１６】
燃焼管４０は、例えばガラスにより円筒状に形成されている。燃焼管４０は、ガス供給管１０から混合ガスが供給され、不図示の点火装置により混合ガスが点火されて管内に火炎Ｆが形成される。なお、燃焼管４０は、例えば金属材料等で形成されてもよい。
【００１７】
次に、燃焼器１００の各部について詳細に説明する。
【００１８】
図２は、第１の実施形態におけるガス供給管１０、第１供給部２０、及び第２供給部３０を例示する図である。図２（Ａ）は、ガス供給管１０、第１供給部２０、及び第２供給部３０の側面図である。図２（Ｂ）は、図２（Ａ）のＡ−Ａ断面図である。
【００１９】
ガス供給管１０は、図２（Ａ）及び（Ｂ）に示されるように、下端側が底壁により塞がれた円筒状に形成されている。ガス供給管１０の内部には、第１供給部２０及び第２供給部３０から燃料ガスが供給されるガス室１１が形成されている。
【００２０】
また、図２（Ａ）に示されるように、ガス供給管１０のガス室１１の上方には、ガス室１１よりも直径が大きく燃焼管４０が挿入される燃焼管受け部１５が形成されている。燃焼管受け部１５の内周面には、例えばゴム等の弾性材料で円環状に形成されているシールリング１６が取り付けられている。燃焼管受け部１５に取り付けられているシールリング１６により、燃焼管受け部１５と燃焼管４０との間が密閉される。
【００２１】
ガス供給管１０の側壁には、第１開口１２及び第２開口１３が形成されている。第１開口１２及び第２開口１３は、図２（Ａ）に示されるように、それぞれガス供給管１０の軸方向に延びる矩形状に形成されている。なお、本実施形態では、第１開口１２と第２開口１３とが、ガス供給管１０の周方向に１８０°異なる位置に形成されているが、これに限られるものではない。
【００２２】
第１供給部２０は、図２（Ａ）及び（Ｂ）に示されるように、平板状に形成されており、ガス供給管１０の側壁の接線方向に延びるようにガス供給管１０に接続されている。第１供給部２０は、内部に第１ガス流路２１が形成されており、第１ガス流路２１が第１開口１２に通じるようにガス供給管１０に接続されている。
【００２３】
第２供給部３０は、第１供給部２０と同様に平板状に形成されており、ガス供給管１０の側壁の接線方向に延びるようにガス供給管１０に接続されている。第２供給部３０は、内部に第２ガス流路３１が形成されており、第２ガス流路３１が第２開口１３に通じるようにガス供給管１０に接続されている。
【００２４】
第１ガス流路２１は、ガス供給管１０のガス室１１の内壁面の接線方向に延びるように第１開口１２に接続されている。また、第２ガス流路３１は、ガス供給管１０のガス室１１の内壁面の接線方向に延びるように第２開口１３に接続されている。このため、第１ガス流路２１及び第２ガス流路３１からガス供給管１０に供給された混合ガスは、図２（Ｂ）に示されるように、ガス供給管１０の側壁の内周面に沿って流れてガス室１１の内部で旋回する。また、ガス供給管１０に供給された混合ガスは、ガス室１１の内部で旋回しながら上昇し、図１に示されるように燃焼管４０に供給されて燃焼する。
【００２５】
また、第１供給部２０から燃料ガスが供給され、第２供給部３０から空気が供給される場合には、燃料ガスと空気とがガス室１１の内部で旋回しながら混合され、燃料ガスと空気との混合ガスとなって燃焼管４０に供給される。
【００２６】
図３は、第１の実施形態における燃焼管４０を例示する図である。
【００２７】
図３に示されるように、燃焼管４０は、小径部４１、テーパ部４２、大径部４３を有する。
【００２８】
小径部４１は、内径がガス供給管１０のガス室１１の内径に等しく、外径がガス供給管１０の燃焼管受け部１５の内径に等しい円筒状に形成されている。燃焼管４０は、小径部４１が燃焼管受け部１５に挿入されることでガス供給管１０に連結される。テーパ部４２は、小径部４１に連結され、小径部４１から離れるほど内径が大きくなる截頭円錐状に形成されている。大径部４３は、内径が小径部４１の内径よりも大きい円筒状に形成され、テーパ部４２に連結されている。
【００２９】
図４は、燃焼管４０における混合ガスの流れを説明するための図である。
【００３０】
燃焼管４０には、ガス供給管１０のガス室１１の内周面に沿って旋回しながら上昇する混合ガスが供給される。燃焼管４０に供給された混合ガスは、小径部４１及びテーパ部４２を通って大径部４３に達するように、各部の内周面に沿って旋回しながら上昇していく。
【００３１】
ここで、燃焼管４０の内部では、混合ガスが旋回することにより内部のガスが外周側に引き寄せられて内周面に近い部分の圧が高まり、中央部分の圧が低くなるように圧力差が生じる。また、混合ガスの旋回流は、テーパ部４２及び大径部４３において徐々に内径が大きくなるにしたがって弱まっていく。このため、燃焼管４０に供給された混合ガスは、旋回しながら上昇して大径部４３に達した後、図４に示されるように、テーパ部４２及び小径部４１で圧が低下している旋回流の中央部分に向かって下降するように流れる。
【００３２】
燃焼管４０の内部において上記したように混合ガスが流れることで、混合ガスの燃焼により形成される火炎Ｆは、図４に示されるようにテーパ部４２付近に位置することになる。このように、第１の実施形態における燃焼管４０によれば、火炎Ｆの位置がテーパ部４２付近で安定し、混合ガスを安定的に燃焼させることが可能になる。
【００３３】
なお、燃焼器１００におけるガス供給管１０、第１供給部２０及び第２供給部、及び燃焼管４０の各部の寸法は、上記した例に限定されるものではなく、適宜変更されてもよい。また、ガス供給管１０及び燃焼管４０の形状は、それぞれ供給されるガスが旋回可能な筒状であればよく、円筒状に限られるものではない。
【００３４】
また、第１供給部２０及び第２供給部３０は、本実施形態ではガス供給管１０の側壁の接線方向に延びるように設けられているが、ガス供給管１０の内部で供給したガスを旋回させることが可能であれば、本実施形態において例示した構成に限られない。
【００３５】
また、第１供給部２０及び第２供給部３０は、何れか一方のみが設けられてもよく、第１供給部２０及び第２供給部３０に加えて、同様の構成でガス供給管１０に燃料ガス等を供給する１つ以上の供給部がさらに設けられてもよい。また、燃焼器１００に設けられる供給部及びガス流路の形状は、ガス供給管１０のガス室１１の内部に旋回流を形成可能であれば、第１の実施形態において例示した形状に限られるものではない。
【００３６】
＜実施例＞
次に、第１の実施形態における燃焼器１００において、図２（Ａ）に示されるガス供給管１０の第１開口１２及び第２開口１３の高さＨ１、図２（Ｂ）に示される第１供給部２０の第１ガス流路２１の幅Ｗ１及び第２供給部３０の第２ガス流路３１の幅Ｗ２、及び図３に示される燃焼管４０のテーパ部４２の角度θ（テーパ部４２の内壁面と、小径部４１の内壁面及び大径部４３の内壁面とがなす角）を変えて最希釈可燃限界を測定した実施例について説明する。なお、第１の実施形態における各実施例では、燃料中の可燃成分と空気中の酸素との比を理論燃空比で除した当量比を１としている。
【００３７】
（実施例１）
実施例１では、ガス供給管１０の第１開口１２及び第２開口１３の高さＨ１を１０ｍｍとした。また、第１供給部２０の第１ガス流路２１の幅Ｗ１及び第２供給部３０の第２ガス流路３１の幅Ｗ２を１ｍｍとした。
【００３８】
燃焼管４０の小径部４１の内径Ｄ１を１７ｍｍ（ガス供給管１０のガス室１１の内径Ｄ１も同様に１７ｍｍ）、テーパ部４２の角度θを１０°、大径部４３の内径Ｄ２を３０ｍｍとした。また、燃焼管４０の小径部４１の長さＬ１を３０ｍｍ、大径部４３の長さＬ２を２００ｍｍとした。
【００３９】
上記構成において、第１ガス流路２１及び第２ガス流路３１から、予めメタンを窒素で希釈した燃料ガスと空気とを混合した混合ガスを供給し、混合ガスの流量［Ｌ／ｍｉｎ］を変えながら燃焼器１００で燃焼可能な燃料ガス中のメタンの下限濃度（最希釈可燃限界）を測定した。
【００４０】
（実施例２）
実施例２では、ガス供給管１０の第１開口１２及び第２開口１３の高さＨ１を２０ｍｍとした以外は実施例１と同様の構成とし、メタンを窒素で希釈した燃料ガスと空気とを混合した混合ガスを供給して最希釈可燃限界を測定した。
【００４１】
（実施例３）
実施例３では、ガス供給管１０の第１開口１２及び第２開口１３の高さＨ１を３０ｍｍとした以外は実施例１と同様の構成とし、メタンを窒素で希釈した燃料ガスと空気とを混合した混合ガスを供給して最希釈可燃限界を測定した。
【００４２】
（実施例４）
実施例４では、第１供給部２０の第１ガス流路２１の幅Ｗ１及び第２供給部３０の第２ガス流路３１の幅Ｗ２を２ｍｍとした以外は実施例１と同様の構成とし、メタンを窒素で希釈した燃料ガスと空気とを混合した混合ガスを供給して最希釈可燃限界を測定した。
【００４３】
（実施例５）
実施例５では、ガス供給管１０の第１開口１２及び第２開口１３の高さＨ１を２０ｍｍとした以外は実施例４と同様の構成とし、メタンを窒素で希釈した燃料ガスと空気とを混合した混合ガスを供給して最希釈可燃限界を測定した。
【００４４】
（実施例６）
実施例６では、ガス供給管１０の第１開口１２及び第２開口１３の高さＨ１を３０ｍｍとした以外は実施例４と同様の構成とし、メタンを窒素で希釈した燃料ガスと空気とを混合した混合ガスを供給して最希釈可燃限界を測定した。
【００４５】
（実施例７）
実施例７では、燃焼管４０のテーパ部４２の角度θを７．５°とした以外は実施例５と同様の構成とし、希釈ガスとして窒素に代えて二酸化炭素を用いて、メタンを二酸化炭素で希釈した燃料ガスと空気とを混合した混合ガスを供給して最希釈可燃限界を測定した。
【００４６】
（実施例８）
実施例８では、実施例５と同様の構成とし、メタンを二酸化炭素で希釈した燃料ガスと空気とを混合した混合ガスを供給して最希釈可燃限界を測定した。
【００４７】
（実施例９）
実施例９では、燃焼管４０のテーパ部４２の角度θを１５°とした以外は実施例５と同様の構成とし、メタンを二酸化炭素で希釈した燃料ガスと空気とを混合した混合ガスを供給して最希釈可燃限界を測定した。
【００４８】
（実施例１０）
実施例１０では、実施例１と同様の構成とし、メタンを二酸化炭素で希釈した燃料ガスと空気とを混合した混合ガスを供給して最希釈可燃限界を測定した。
【００４９】
（実施例１１）
実施例１１では、実施例２と同様の構成とし、メタンを二酸化炭素で希釈した燃料ガスと空気とを混合した混合ガスを供給して最希釈可燃限界を測定した。
【００５０】
（実施例１２）
実施例１２では、実施例３と同様の構成とし、メタンを二酸化炭素で希釈した燃料ガスと空気とを混合した混合ガスを供給して最希釈可燃限界を測定した。
【００５１】
（実施例１３）
実施例１３では、実施例４と同様の構成とし、メタンを二酸化炭素で希釈した燃料ガスと空気とを混合した混合ガスを供給して最希釈可燃限界を測定した。
【００５２】
（実施例１４）
実施例１４では、実施例６と同様の構成とし、メタンを二酸化炭素で希釈した燃料ガスと空気とを混合した混合ガスを供給して最希釈可燃限界を測定した。
【００５３】
実施例１〜１４の各条件を、以下の表１に示す。
【００５４】
【表１】
2017219302.tif 000003
【００５５】
実施例１〜１４における最希釈可燃限界の測定結果を、図５〜８に示す。図５〜８に示されているグラフは、横軸が燃焼器１００に供給される混合ガスの流量［Ｌ／ｍｉｎ］であり、縦軸が最希釈可燃限界［％］である。図５及び図６のグラフには、既往研究（H．F．Coward，G．W．Jones，Limits  of  Flammability  of  Gases  and  Vapors，U．S．Bur．Mines  Bull．No．503（1952））におけるメタンを窒素で希釈した場合の最希釈可燃限界（１４．３％）が示されている。また、図７及び図８のグラフには、上記した既往研究におけるメタンを二酸化炭素で希釈した場合の最希釈可燃限界（２２．８％）が示されている。
【００５６】
図５は、実施例１〜３における最希釈可燃限界の測定結果を示す図である。
【００５７】
図５に示されるように、実施例１では、流量３．０６Ｌ／ｍｉｎ〜３．６Ｌ／ｍｉｎにおいて最希釈可燃限界が最も低い１３．１％となった。実施例２では、流量３．０６Ｌ／ｍｉｎにおいて最希釈可燃限界が最も低い１３．０％となった。また、実施例３では、流量１４．４Ｌ／ｍｉｎ〜２１．６Ｌ／ｍｉｎにおいて最希釈可燃限界が最も低い１３．１％となった。
【００５８】
図６は、実施例４〜６における最希釈可燃限界の測定結果を示す図である。
【００５９】
図６に示されるように、実施例４では、流量３Ｌ／ｍｉｎ〜３．６Ｌ／ｍｉｎにおいて最希釈可燃限界が最も低い１３．１％となった。実施例５では、流量２６．４Ｌ／ｍｉｎ〜２８．８Ｌ／ｍｉｎにおいて最希釈可燃限界が最も低い１２．７％となった。また、実施例６では、流量３９．６Ｌ／ｍｉｎ〜４３．２Ｌ／ｍｉｎにおいて最希釈可燃限界が最も低い１２．８％となった。
【００６０】
図７は、実施例７〜９における最希釈可燃限界の測定結果を示す図である。
【００６１】
図７に示されるように、実施例７では、流量４．５Ｌ／ｍｉｎにおいて最希釈可燃限界が最も低い１８．２％となった。実施例８では、流量４．３Ｌ／ｍｉｎにおいて、最希釈可燃限界が最も低い２０．７％となった。また、実施例９では、流量４．３Ｌ／ｍｉｎにおいて最希釈可燃限界が最も低い２１．４％となった。
【００６２】
図８は、実施例１０〜１４における最希釈可燃限界の測定結果を示す図である。
【００６３】
図８に示されるように、実施例１０では、流量３．６Ｌ／ｍｉｎにおいて最希釈可燃限界が最も低い２２．４％となった。実施例１１では、流量３．６Ｌ／ｍｉｎにおいて、最希釈可燃限界が最も低い２２．６％となった。実施例１２では、流量５．４Ｌ／ｍｉｎにおいて最希釈可燃限界が最も低い２２．３％となった。実施例１３では、流量３．６Ｌ／ｍｉｎにおいて、最希釈可燃限界が最も低い２２．２％となった。また、実施例１４では、流量３６Ｌ／ｍｉｎにおいて最希釈可燃限界が最も低い２２．４％となった。
【００６４】
上記したように、各実施例における最希釈可燃限界は、既往研究における最希釈可燃限界よりも低く、燃焼器１００においてメタンの濃度が低い混合ガスでも燃焼可能であることが分かる。
【００６５】
以上で説明したように、第１の実施形態における燃焼器１００によれば、燃焼管４０にテーパ部４２を設けることで火炎位置を安定させ、さらにメタン濃度が低い低品位燃料であっても安定して燃焼させることが可能になる。
【００６６】
[第２の実施形態]
次に、第２の実施形態について図面に基づいて説明する。なお、既に説明した実施形態と同一構成部分についての説明は省略する。
【００６７】
図９は、第２の実施形態における燃焼器２００を例示する図である。
【００６８】
第２の実施形態における燃焼器２００は、図９に示されるように、ガス供給管１０の底壁の周縁に沿って円環状のスリット１８が形成されている。ガス供給管１０には、スリット１８に接続されるガス流路を内部に有する第３供給部５０が連結されている。なお、スリット１８は、本実施形態とは異なる形状であってもよい。
【００６９】
燃焼器２００において、例えば、第１供給部２０及び第２供給部３０からガス供給管１０に空気を供給し、第３供給部５０からスリット１８を通じて燃料ガスを供給する。なお、燃焼器２００には、第１供給部２０及び第２供給部３０の何れか一方のみが設けられてもよく、同様の構成でガス供給管１０に燃料ガス等を供給する供給部がさらに１つ以上設けられてもよい。
【００７０】
このようにガス供給管１０に燃料ガス及び空気を供給することで、ガス室１１の内部で燃料ガスと空気とが旋回しながら混合される。ガス供給管１０において混合された燃料ガス及び空気の混合ガスは、旋回しながら上昇して燃焼管４０に供給されて不図示の点火装置により点火されて燃焼する。
【００７１】
このとき、燃焼管４０の内部において上記したように混合ガスが流れることで、混合ガスの燃焼により形成される火炎Ｆは、図４に示されるようにテーパ部４２付近に位置することになる。このように、第２の実施形態における燃焼管４０によれば、火炎Ｆの位置がテーパ部４２付近で安定し、混合ガスを安定的に燃焼させることが可能になる。
【００７２】
＜実施例＞
次に、第２の実施形態における燃焼器２００において、図２（Ａ）に示されるガス供給管１０の第１開口１２及び第２開口１３の高さＨ１、図２（Ｂ）に示される第１供給部２０の第１ガス流路２１の幅Ｗ１及び第２供給部３０の第２ガス流路３１の幅Ｗ２を変えて最希釈可燃限界を測定した実施例について説明する。なお、第２の実施形態における各実施例では、図３に示される燃焼管４０のテーパ部４２の角度θを１０°としている。
【００７３】
（実施例１５）
実施例１５では、ガス供給管１０の第１開口１２及び第２開口１３の高さＨ１を５ｍｍとした。また、第１供給部２０の第１ガス流路２１の幅Ｗ１及び第２供給部３０の第２ガス流路３１の幅Ｗ２を１ｍｍとした。また、当量比を０．９とした。
【００７４】
上記構成において、第１ガス流路２１及び第２ガス流路３１から空気を供給し、第３供給部５０からメタンを二酸化炭素で希釈した燃料ガスを供給して、燃料ガスと空気とが混合された混合ガスの流量［Ｌ／ｍｉｎ］を変えながら、燃焼器２００で燃焼可能な燃料ガス中のメタンの下限濃度（最希釈可燃限界）を測定した。
【００７５】
（実施例１６）
実施例１６では、ガス供給管１０の第１開口１２及び第２開口１３の高さＨ１を７ｍｍとした。また、第１供給部２０の第１ガス流路２１の幅Ｗ１及び第２供給部３０の第２ガス流路３１の幅Ｗ２を１ｍｍとした。また、当量比を０．９とした。
【００７６】
（実施例１７）
実施例１７では、ガス供給管１０の第１開口１２及び第２開口１３の高さＨ１を１０ｍｍとした。また、第１供給部２０の第１ガス流路２１の幅Ｗ１及び第２供給部３０の第２ガス流路３１の幅Ｗ２を１ｍｍとした。また、当量比を０．９とした。
【００７７】
（実施例１８）
実施例１８では、当量比を１とした以外は実施例１５と同様の構成とした。
【００７８】
（実施例１９）
実施例１９では、当量比を１とした以外は実施例１６と同様の構成とした。
【００７９】
（実施例２０）
実施例２０では、当量比を１とした以外は実施例１７と同様の構成とした。
【００８０】
（実施例２１）
実施例２１では、当量比を１．１とした以外は実施例１５と同様の構成とした。
【００８１】
（実施例２２）
実施例２２では、当量比を１．１とした以外は実施例１６と同様の構成とした。
【００８２】
（実施例２３）
実施例２３では、当量比を１．１とした以外は実施例１７と同様の構成とした。
【００８３】
実施例１５〜２３の各条件を、以下の表２に示す。
【００８４】
【表２】
2017219302.tif 000004
【００８５】
実施例１５〜２３における最希釈可燃限界の測定結果を、図１０〜１２に示す。図１０〜１２に示されているグラフは、横軸が燃焼器２００に供給される混合ガスの流量［Ｌ／ｍｉｎ］であり、縦軸が最希釈可燃限界［％］である。図１０〜１２のグラフには、上記した既往研究におけるメタンを二酸化炭素で希釈した場合の最希釈可燃限界（２２．８％）が示されている。
【００８６】
図１０は、実施例１５〜１７における最希釈可燃限界の測定結果を示す図である。
【００８７】
図１０に示されるように、実施例１５では、流量４．４Ｌ／ｍｉｎにおいて最希釈可燃限界が最も低い１９．２％となった。実施例１６では、流量４．２Ｌ／ｍｉｎにおいて、最希釈可燃限界が最も低い１９．３％となった。また、実施例１７では、流量７．４Ｌ／ｍｉｎにおいて最希釈可燃限界が最も低い１９．３％となった。
【００８８】
図１１は、実施例１８〜２０における最希釈可燃限界の測定結果を示す図である。
【００８９】
図１１に示されるように、実施例１８では、流量４．０Ｌ／ｍｉｎにおいて最希釈可燃限界が最も低い２０．９％となった。実施例１９では、流量４．６Ｌ／ｍｉｎにおいて、最希釈可燃限界が最も低い２１．７％となった。また、実施例２０では、流量４．８Ｌ／ｍｉｎにおいて最希釈可燃限界が最も低い２２．１％となった。
【００９０】
図１２は、実施例２１〜２３における最希釈可燃限界の測定結果を示す図である。
【００９１】
図１２に示されるように、実施例２１では、流量２．０Ｌ／ｍｉｎにおいて最希釈可燃限界が最も低い２３．６％となった。実施例２２では、流量２．０Ｌ／ｍｉｎにおいて、最希釈可燃限界が最も低い２３．８％となった。また、実施例２３では、流量２．２Ｌ／ｍｉｎにおいて最希釈可燃限界が最も低い２４．０％となった。
【００９２】
第２の実施形態における燃焼器２００では、上記したように、第１供給部２０及び第２供給部３０から供給される空気と、第３供給部５０から供給される燃料ガスとがガス供給管１０において混合され、混合ガスとなって旋回しながら燃焼管４０に供給される。第２の実施形態における燃焼器２００によれば、第１の実施形態における燃焼器２００と同様に、低品位燃料を安定して燃焼させることができる。
【００９３】
以上、実施形態に係る燃焼器について説明したが、本発明は上記実施形態に限定されるものではなく、本発明の範囲内で種々の変形及び改良が可能である。
【符号の説明】
【００９４】
１０  ガス供給管
１１  ガス室
１８  スリット
２０  第１供給部
２１  第１ガス流路
３０  第２供給部
３１  第２ガス流路
４０  燃焼管
４１  小径部
４２  テーパ部
４３  大径部
５０  第３供給部
１００、２００  燃焼器
【図１】
2017219302.tif 000005
【図２】
2017219302.tif 000006
【図３】
2017219302.tif 000007
【図４】
2017219302.tif 000008
【図５】
2017219302.tif 000009
【図６】
2017219302.tif 000010
【図７】
2017219302.tif 000011
【図８】
2017219302.tif 000012
【図９】
2017219302.tif 000013
【図１０】
2017219302.tif 000014
【図１１】
2017219302.tif 000015
【図１２】
2017219302.tif 000016